(57)【特許請求の範囲】
【請求項１】
円柱体により製造される布団内空間確保フレームを利用した猫と飼い主の安眠空間確保方法であって、円柱体を折り曲げ又は接続して形成される底面視でコの字型、Ｕ字型又はＶ字型の底面部と、円柱体を折り曲げ又は接続して形成される上面視でコの字型、Ｕ字型又はＶ字型の天井部と、前記底面部と前記天井部のそれぞれの対向する１端部を前記底面部と前記天井部が相対する様連結する、円柱体を折り曲げ又は接続して形成され側面視で底面部から垂直に立ち上がった後、天井部に対し傾斜を持つ２本の連結部を備えることを特徴とする布団内空間確保フレームを利用し、布団内に猫が入る部分的な空間を作る、猫と飼い主の安眠空間確保方法。
【請求項２】
布団内空間確保フレームの連結部が底面部と天井部に対し脱着可能なことを特徴とする請求項１に記載の猫と飼い主の安眠空間確保方法。
【発明の詳細な説明】
【技術分野】
【０００１】本発明は、布団を利用し、飼い主と猫の快適な睡眠を確保する空間を得るための布団内空間確保フレームに関する。
【背景技術】
【０００２】寒い季節になると、猫は暖を求め飼い主が寝ている布団の中に入ってくることが多い。又、猫を飼っている人は基本的に猫好きな為、猫が布団に入ってくることを好む。布団に入ってきた猫は、ある程度の空間と暖を好む為、飼い主の体に密着してくることが多い。【０００３】しかしながら、猫は神経質で特に音に敏感な動物な為、飼い主が寝返りをうつ等、動くことを嫌がり又、布団などが直接覆い被さることを嫌うため外に出て行くことが多々ある。そのため飼い主は猫の寝やすい環境を考えて、なるべく動かないようにしたり気を遣うため、疲れたり寝不足になったりする。
特許文献１記載のものは、箱状になっている為、布団の中に入れるとスペース的に飼い主の睡眠の邪魔になる上、触れると冷たい。そもそも飼い主と猫が仕切られている為、同じ空間で暖をとることが出来ないという問題点があった。
【先行技術文献】
【特許文献】
【０００４】
【特許文献１】特開２０１１−２３９７７１号
【発明の概要】
【発明が解決しようとする課題】
【０００５】本発明は、飼い主と猫が同じ空間で暖をとり、尚且つ飼い主と猫が共に安眠できる布団内空間確保フレームを提供することを課題とする。
【課題を解決するための手段】
【０００６】本発明は、
（１）円柱体による製造される布団内空間確保フレームであって、円柱体を折り曲げ又は接続して形成されるコの字型、Ｕ字型又はＶ字型の底面部と、円柱体を折り曲げ又は接続して形成されるコの字型、Ｕ字型又はＶ字型の天井部と、前記底面部と前記天井部のそれぞれの対向する１端部を前記底面部と前記天井部が相対する様連結する円柱体を折り曲げ又は接続して形成される２本の連結部とを備える事を特徴とする布団内空間確保フレーム。
（２）連結部の形状は、くの字型をしていることを特徴とする（１）に記載の布団内空間確保フレーム。
（３）連結部が底面部と天井部に対し脱着可能なことを特徴とする（１）又は（２）に記載の布団内空間確保フレーム
である。【０００７】本発明の円柱体とは中実、又は中空の円柱体である。材質は例えば、鉄、ステンレス、銅などの金属であってもよく、またはポリエチレン、ポリプロピレン、塩化ビニールなどの樹脂、木材などの有機材料であってもよい。
最も好ましいのは塩化ビニール樹脂の中空管である。
円柱体の外径寸法は５〜２０ｍｍが好ましく、中空の場合の管の厚みは１〜３ｍｍが好ましい。
折り曲げるとは、円柱体に熱や力を加えて加工することで、折り曲げる時の半径は１〜５ｃｍが好ましい。
接続とは、継ぎ手などを用いて円柱体同士を繋いで接着剤などを用い固定することで、接続するときの半径は１〜５ｃｍが好ましい。【０００８】本発明の底面部及び天井部を構成するコの字型とは、図１の様な形状を示す。
Ｕ字型とは、図３の様な形状を示す。
Ｖ字型とは、図４の様な形状を示す。
底面部とは図１の６、７で形成される部分、図３の２０又は図４の２１を示す。
底面部は、縦フレーム部６が２０〜５０ｃｍ、横フレーム部７が２０〜４０ｃｍのコの字型が好ましい。
天井部とは、図１の４、５で形成される部分、図３の１８又は図４の１９を示す。
天井部は、縦フレーム部４が５〜３０ｃｍ、横フレーム部５が２０〜４０ｃｍのコの字型が好ましい。【０００９】それぞれの対向する両端部とは、図１の２に対して３を示す。
相対する様連結するとは、図１の底面部と天井部が向かい合うように接続する事を示す。
連結部とは、図１の８、９で形成される部分を示す。
連結部は、くの字型、曲線又は直線でもかまわないが、くの字型で長さは２０〜５０ｃｍ、角度は４５度が好ましい。
連結部の底面部に対する角度は８０〜１００度、天井部に対する角度は３０〜９０度が好ましい。
くの字型とは、図１の８、９部の様な折れ曲がった形状を示す。
脱着可能とは、人の力で容易に分解、組み立てが可能なことを示す。
【発明の効果】
【００１０】本発明は、天井部で掛け布団を持ち上げることにより敷き布団と掛け布団の間に空間を作り、猫が暖をとることを可能にしものである。しかも、構造上敷布団上に障害となるものを有しないため飼い主と猫が安眠することが可能であり、飼い主は猫の睡眠を邪魔すること無く、寝返りをうったり動く事も自由にできる。更に、猫がいない時でも本フレームを設置したまま飼い主が支障無く睡眠できる。
連結部分に傾斜を設けることによって掛け布団がフレーム全体を覆うことが容易になり、掛け布団と床の隙間を無くし外気の進入を防ぐことが可能である。又、全体がフレームで構成されている為、布団の暖かみを感じやすい。
底面部が敷き布団の下に入り込むことにより、フレーム全体を安定させることが出来る。
脱着式の場合には、使用しない時コンパクトに収納可能である。
【図面の簡単な説明】
【００１１】
【図１】本発明の斜視図である。
【図２】本発明の側面図である。
【図３】本発明のＵ字型にしたときの斜視図である。
【図４】本発明のＶ字型にしたときの斜視図である。
【図５】本発明の設置図である。
【図６】本発明のベッドに使用した際の設置図である。
【図７】本発明の実施形態の斜視図である。
【図８】本発明の実施形態の断面図である。
【発明を実施するための形態】
【００１２】本発明を実施例でもって説明する。
【実施例１】
【００１３】円柱体として、直径が１８ｍｍの塩化ビニール樹脂の中空管を用い、図１に示すような一体型のコの字型の形状に作成した。
底面部は縦３０ｃｍ、横３０ｃｍのコの字型に形成させ、その両端部を９０度上方に折り曲げ、それぞれ１５ｃｍ先を４５度に折り曲げ、更に１５ｃｍ先で４５度に折り曲げた。最後に両端部を縦１５ｃｍ、横３０ｃｍになるようにコの字型に折り曲げ天井部を形成させた。
【実施例２】
【００１４】円柱体として直径が１２ｍｍのポリエチレンの中実体を用い、図３に示すようなＵ字型の形状に作成した。
底面部は直径４０ｃｍのＵ字型に形成させ、両端部の１０ｃｍ先に９０度の継手を取り付けた。天井部は直径４０ｃｍのＵ字型に形成させ両端部に４５度の継手を取り付けた。
連結部として３０ｃｍの中実体の中央を４５度に折り曲げたものを２本作成した。
底面部、天井部、連結部を接続して図３の様に作成した。
【実施例３】
【００１５】円柱体として、直径が１０ｍｍの銅管を用い、図４に示すようなＶ字型の形状に作成した。
底面部は９０度に折り曲げた銅管の両端を３０ｃｍ先で４５度に折り曲げ、更に１５ｃｍ先を９０度上方に折り曲げた。両端部の１５ｃｍ先を４５度に折り曲げ、更に１５ｃｍ先で４５度に折り曲げた。最後に左右３０ｃｍのＶ字型になるよう折り曲げ天井部を形成させた。【００１６】図５〜図８を用いて本発明に係る布団内空間確保フレームの実施例を説明する。
図５又は図６の様にフレーム底面部を敷き布団の下に入れる。入れる場所は飼い主が寝返りをうったり、手を動かしたりした時邪魔にならない様、人のもも付近にあたる所が好ましい、次に、図７、図８の様にフレームを覆い隠すように掛け布団を掛ける。あとは飼い主が普段どおり布団に入ることにより、もも付近の横に空間ができる。猫が暖を求め布団の中に入ってきて空間を利用して暖をとることができる。又、猫が居ないときでも敷き布団上には障害となる物が無いため、本フレームを設置したまま飼い主は普段どおり寝ることができる（図７、図８）。
【符号の説明】
【００１７】１    本発明の全体図
２    第２連結点部
３    第１連結点部
４    天井部縦フレーム
５    天井部横フレーム
６    底面部縦フレーム
７    底面部横フレーム
８    連結部傾斜フレーム
９    連結部縦フレーム
１０  枕
１１  敷き布団
１２  ベッド
１３  掛け布団
１４  飼い主
１５  猫
１６  ４５度の継手
１７  ９０度の継手
１８  Ｕ字型の天井部
１９  Ｖ字型の天井部
２０  Ｕ字型の底面部
２１  Ｖ字型の底面部
【図１】
0006905233.tif 000002
【図２】
0006905233.tif 000003
【図３】
0006905233.tif 000004
【図４】
0006905233.tif 000005
【図５】
0006905233.tif 000006
【図６】
0006905233.tif 000007
【図７】
0006905233.tif 000008
【図８】
0006905233.tif 000009